(57)【要約】【課題】交通機関の沿線で開催されるイベント情報は、効果的に乗客に伝達されていないため、乗客が沿線のイベントに参加する機会はそれ程多くない。また、乗客は、窓から見える沿線の風景の山や川の名前などを知りたいと思うことがしばしばあるが、家に帰って、地図を調べたりするのは面倒であり、そのままになってしまうことが多い。【解決手段】電車１０内のコンテンツ配信装置１１は、コンテンツ配信センタ１のサーバ２から電車１０の沿線に関連するコンテンツ情報を受信しデータベース２０に記録する。また、電車１０には電車１０自身の現在位置を測定する位置測定機能１１ｂを設け、電車１０の進行に合わせて、データベース２０から現在位置に応じたコンテンツを選択し、選択したコンテンツの映像情報を表示パネル１２に表示し、音声情報を携帯受信機４０に送信する。【選択図】　図１
2004032160.tif 000002
【特許請求の範囲】
【請求項１】
交通機関の沿線に関連する情報を保持するコンテンツ配信センタと、交通機関の車両内に設備されたコンテンツ配信装置とが通信回線で接続され、前記コンテンツ配信装置が、交通機関の沿線に関連するコンテンツの情報を前記コンテンツ配信センタから受信し、該受信したコンテンツを乗客向けに配信する沿線情報案内システムであって、
前記交通機関の車両内に設備されたコンテンツ配信装置には、
前記コンテンツ配信センタから交通機関の沿線に関連するコンテンツの情報を受信してデータベースに保持するためのコンテンツ受信手段と、
交通機関の車両自身の現在位置を測定するための位置測定手段と、
交通機関の車両の進行に合わせて、車両の現在位置に対応するコンテンツを前記データベースから選択するためのコンテンツ選択手段と、
前記選択したコンテンツの情報を乗客向けに配信するためのコンテンツ配信手段と
を具備することを特徴とする沿線情報案内システム。
【請求項２】
前記コンテンツ配信手段として、
交通機関の車両内の所定の場所にコンテンツの映像情報を表示するためのコンテンツ映像表示手段と、
コンテンツの音声情報を、乗客が携帯する受信機に送信するための音声情報送信手段と
をさらに具備することを特徴とする請求項１に記載の沿線情報案内システム。
【請求項３】
前記コンテンツ情報には、宣伝広告用のコンテンツを含むことを特徴とする請求項１または２に記載の沿線情報案内システム。
【請求項４】
前記コンテンツ情報には、提供するコンテンツに関連するＷｅｂサイトのＵＲＬ情報が含まれること
を特徴とする請求項１から３のいずれかに記載の沿線情報案内システム。
【請求項５】
交通機関の車両内に設備されたコンテンツ配信装置から、コンテンツの情報を受信して出力するための乗客用の携帯受信機であって、
前記交通機関の車両内に設備されたコンテンツ配信装置からコンテンツの音声情報を受信するためのコンテンツ受信手段と、
前記受信したコンテンツの音声情報を出力するためのコンテンツ出力手段と、前記受信したコンテンツの音声情報を記憶し再生するためのコンテンツ記録再生手段と
を具備することを特徴とする携帯受信機。
【請求項６】
交通機関の車両内に設備されたコンテンツ配信装置から、コンテンツの情報を受信して出力するための乗客用の携帯受信機であって、
前記交通機関の車両内に設備されたコンテンツ配信装置からコンテンツの映像及び音声情報を受信するためのコンテンツ受信手段と、
前記受信したコンテンツの映像及び音声情報を出力するためのコンテンツ出力手段と、
前記受信したコンテンツの映像及び音声情報を記憶し再生するためのコンテンツ記録再生手段と
を具備することを特徴とする携帯受信機。
【請求項７】
前記携帯受信機には、
下車駅を登録するための下車駅登録手段と、
現在位置の情報を受信するための位置情報受信手段と、
前記下車駅と現在位置の情報を基に、下車駅に到達したことを判定して乗客に通知するための下車駅判定手段と
をさらに具備することを特徴とする請求項５または請求項６に記載の携帯受信機。
【請求項８】
前記携帯受信機には、
前記交通機関の車両内に設備されたコンテンツ配信装置から同時に送信される複数のジャンルのコンテンツから、所望のジャンルのコンテンツを選択して受信するためのジャンル選択手段と、
前記選択したジャンルのコンテンツの情報を出力するためのコンテンツ出力手段と
をさらに具備することを特徴とする請求項５から７のいずれかに記載の携帯受信機。
【請求項９】
前記携帯受信機が、携帯電話及びＰＤＡを含む携帯端末であること
を特徴とする請求項５から８のいずれかに記載の携帯受信機。
【請求項１０】
交通機関の沿線に関連する情報を保持するコンテンツ配信センタと、交通機関の車両内に設備されたコンテンツ配信装置とが通信回線で接続され、前記コンテンツ配信装置が、交通機関の沿線に関連するコンテンツの情報を前記コンテンツ配信センタから受信し、該受信したコンテンツを乗客向けに配信する沿線情報案内方法であって、
前記交通機関の車両内に設備されたコンテンツ配信装置により、
前記コンテンツ配信センタから交通機関の沿線に関連するコンテンツの情報を受信してデータベースに保持するためのコンテンツ受信手順と、
交通機関の車両自身の現在位置を測定するための位置測定手順と、
交通機関の車両の進行に合わせて、車両の現在位置に対応するコンテンツを前記データベースから選択するためのコンテンツ選択手順と、
前記選択したコンテンツの情報を乗客向けに配信するためのコンテンツ配信手順と
が行われることを特徴とする沿線情報案内方法。
【発明の詳細な説明】
【０００１】
【発明の属する技術分野】
本発明は、交通機関の沿線情報案内システム、携帯受信機、及び沿線情報案内方法に関し、特に、沿線から見える風景の紹介や沿線の催し物などを、乗客に効果的に通知し得る沿線情報案内システム、携帯受信機、及び沿線情報案内方法に関するものである。
【０００２】
【従来の技術】
従来、電車などの交通機関の沿線で開催されるイベント情報などは、地域・地区の情報誌や、駅や電車内でのポスターや、新聞の折込広告などで知ることが多い。また、多くの観客の集まる大きなイベントについては、イベント紹介誌で紹介されることもある。
【０００３】
【発明が解決しようとする課題】
しかしながら、交通機関を日々利用している乗客が、沿線の各地域が開催するイベントに参加する機会はあまり多くない。
これは、乗客が、イベント開催のポスターを駅で見たとか、口コミで知るとか、たまたまイベントの開催を知り興味を覚えた場合に、そのイベント参加することになるからである。
【０００４】
このように、交通機関の沿線の各地域が開催するイベントに、交通機関を利用する乗客があまり参加しないのは、イベントの開催情報が効果的に乗客に伝達されていないことが大きな原因と考えられる。このため、イベントが開催されても、乗客は興味のあるイベントを見逃すことが多く、沿線を通過する乗客を途中下車させることができず、地域の活性化に結びつけることができていなかった。
【０００５】
また、交通機関を利用している乗客は、窓から見える沿線の風景の山や川の名前や、沿線の名所・旧跡などの情報を知りたいと思うことがしばしばあるが、家に帰って、地図を調べたり、インターネットで検索したりすることは面倒であり、そのままになっていることが多い。
【０００６】
本発明はこのような問題を解決するためになされたもので、本発明は、沿線から見える風景の紹介や沿線の催し物の情報などを、交通機関の乗客に効果的に通知し得る沿線情報案内システム、携帯受信機、及び沿線情報案内方法を提供することを目的とする。
【０００７】
【課題を解決するための手段】
本発明はかかる問題を解決するものであり、請求項１の発明は、交通機関の沿線に関連する情報を保持するコンテンツ配信センタと、交通機関の車両内に設備されたコンテンツ配信装置とが通信回線で接続され、前記コンテンツ配信装置が、交通機関の沿線に関連するコンテンツの情報を前記コンテンツ配信センタから受信し、該受信したコンテンツを乗客向けに配信する沿線情報案内システムであって、前記交通機関の車両内に設備されたコンテンツ配信装置には、前記コンテンツ配信センタから交通機関の沿線に関連するコンテンツの情報を受信してデータベースに保持するためのコンテンツ受信手段と、交通機関の車両自身の現在位置を測定するための位置測定手段と、交通機関の車両の進行に合わせて、車両の現在位置に対応するコンテンツを前記データベースから選択するためのコンテンツ選択手段と、前記選択したコンテンツの情報を乗客向けに配信するためのコンテンツ配信手段とを具備することを特徴とする沿線情報案内システムとしたものである。
【０００８】
請求項２の発明は、前記コンテンツ配信手段として、交通機関の車両内の所定の場所にコンテンツの映像情報を表示するためのコンテンツ映像表示手段と、コンテンツの音声情報を、乗客が携帯する受信機に送信するための音声情報送信手段とをさらに具備することを特徴とする請求項１に記載の沿線情報案内システムとしたものである。
【０００９】
請求項３の発明は、前記コンテンツ情報には、宣伝広告用のコンテンツを含むことを特徴とする請求項１または２に記載の沿線情報案内システムとしたものである。
【００１０】
請求項４の発明は、前記コンテンツ情報には、提供するコンテンツに関連するＷｅｂサイトのＵＲＬ情報が含まれることを特徴とする請求項１から３のいずれかに記載の沿線情報案内システムとしたものである。
【００１１】
請求項５の発明は、交通機関の車両内に設備されたコンテンツ配信装置から、コンテンツの情報を受信して出力するための乗客用の携帯受信機であって、前記交通機関の車両内に設備されたコンテンツ配信装置からコンテンツの音声情報を受信するためのコンテンツ受信手段と、前記受信したコンテンツの音声情報を出力するためのコンテンツ出力手段と、前記受信したコンテンツの音声情報を記憶し再生するためのコンテンツ記録再生手段とを具備することを特徴とする携帯受信機としたものである。
【００１２】
請求項６の発明は、交通機関の車両内に設備されたコンテンツ配信装置から、コンテンツの情報を受信して出力するための乗客用の携帯受信機であって、前記交通機関の車両内に設備されたコンテンツ配信装置からコンテンツの映像及び音声情報を受信するためのコンテンツ受信手段と、前記受信したコンテンツの映像及び音声情報を出力するためのコンテンツ出力手段と、前記受信したコンテンツの映像及び音声情報を記憶し再生するためのコンテンツ記録再生手段とを具備することを特徴とする携帯受信機としたものである。
【００１３】
請求項７の発明は、前記携帯受信機には、下車駅を登録するための下車駅登録手段と、現在位置の情報を受信するための位置情報受信手段と、前記下車駅と現在位置の情報を基に、下車駅に到達したことを判定して乗客に通知するための下車駅判定手段とをさらに具備することを特徴とする請求項５または請求項６に記載の携帯受信機としたものである。
【００１４】
請求項８の発明は、前記携帯受信機には、前記交通機関の車両内に設備されたコンテンツ配信装置から同時に送信される複数のジャンルのコンテンツから、所望のジャンルのコンテンツを選択して受信するためのジャンル選択手段と、前記選択したジャンルのコンテンツの情報を出力するためのコンテンツ出力手段とをさらに具備することを特徴とする請求項５から７のいずれかに記載の携帯受信機としたものである。
【００１５】
請求項９の発明は、前記携帯受信機が、携帯電話及びＰＤＡを含む携帯端末であることを特徴とする請求項５から８のいずれかに記載の携帯受信機としたものである。
【００１６】
請求項１０の発明は、交通機関の沿線に関連する情報を保持するコンテンツ配信センタと、交通機関の車両内に設備されたコンテンツ配信装置とが通信回線で接続され、前記コンテンツ配信装置が、交通機関の沿線に関連するコンテンツの情報を前記コンテンツ配信センタから受信し、該受信したコンテンツを乗客向けに配信する沿線情報案内方法であって、前記交通機関の車両内に設備されたコンテンツ配信装置により、前記コンテンツ配信センタから交通機関の沿線に関連するコンテンツの情報を受信してデータベースに保持するためのコンテンツ受信手順と、交通機関の車両自身の現在位置を測定するための位置測定手順と、交通機関の車両の進行に合わせて、車両の現在位置に対応するコンテンツを前記データベースから選択するためのコンテンツ選択手順と、前記選択したコンテンツの情報を乗客向けに配信するためのコンテンツ配信手順とが行われることを特徴とする沿線情報案内方法としたものである。
【００１７】
【発明の実施の形態】
次に本発明の実施の形態例について図面を参照して説明する。
【００１８】
［沿線情報案内システムの全体の構成の説明］
図１は、本発明による沿線情報案内システムの構成例を示す図であり、交通機関としての電車に本発明を適用した例である。
図１において、１は電車１０内のコンテンツ配信装置１１にコンテンツを配信するコンテンツ配信センタ、２はコンテンツ配信センタのサーバ、２ａは配信するコンテンツの情報を保持するデータベース、３はコンテンツ配信センタ１が通信ネットワーク５上にＷｅｂページを公開するためのＷｅｂサーバ、４は無線通信方式の送受信装置、５はインターネットなどの通信ネットワーク、６はコンテンツの配信を依頼するコンテンツ配信依頼者、６ａはコンテンツの配信を依頼する地方自治体、６ｂはコンテンツの配信を依頼する各種団体、６ｃはコンテンツ（コマーシャル）の配信を依頼する企業、７は各種の情報源となるＷｅｂサイト、８は電車１０に位置情報を送信するための位置情報発信装置（ＧＰＳ（ＧｌｏｂａｌＰｏｓｉｔｉｏｎｉｎｇ　Ｓｙｓｔｅｍ）衛星や路線発信機など）、１０は電車、１１はコンテンツを電車１０内の乗客向けに配信するためのコンテンツ配信装置、１２は電車１０内の乗降扉の上に装備された映像表示用の表示パネル、４０は配信されるコンテンツの音声情報を聴くための携帯受信機、４１は携帯受信機４０に付属するイヤホンを示している。
【００１９】
また、電車１０内のコンテンツ配信装置１１には、以下の機能が付与されている。
・コンテンツ受信機能１１ａは、コンテンツ配信センタ１のサーバ２から交通機関の沿線に関連するコンテンツ情報を受信し、データベース２０に記録する機能である。なお、コンテンツ情報には沿線情報の他に、企業の広告宣伝用のコンテンツなども含まれる。
・位置測定機能１１ｂは、位置情報発信装置８から位置情報を受信し、電車１０自身の現在の位置を測定する機能である。
・コンテンツ選択機能１１ｃは、電車１０の進行と共に、電車１０の現在位置の情報を基にデータベース２０を検索し、電車１０の現在位置に対応するコンテンツを選択するための機能である。
・コンテンツ配信機能１１ｄは、コンテンツ選択機能１１ｃにより選択したコンテンツの情報について、コンテンツの映像情報を表示パネル１２に表示し、コンテンツの音声情報を携帯受信機４０に送信する機能である。
【００２０】
また、図２は、図１に例示する沿線情報案内システムの動作の流れを説明するための図であり、以下、図１及び図２を基に、その動作の流れについて説明する。
（１）コンテンツ配信センタ１では、以下に示す情報をデータベース２ａに保持する（ステップＳ１）。
・沿線から見える風景や沿線の催し物のコンテンツ（沿線の地区単位または各駅単位で編集される情報）
・地方自治体６ａや、各種団体６ｂから配信を依頼されたコンテンツ
・企業６ｃから依頼された宣伝広告用のコンテンツ
・Ｗｅｂサイト７から収集した各種のコンテンツ
【００２１】
（２）コンテンツ配信センタ１のサーバ２では、電車１０内のコンテンツ配信装置１１からコンテンツの送信要求があると（ステップＳ２）、電車１０が運行する路線に見合ったコンテンツをデータベース２ａから選択し、電車１０内のコンテンツ配信装置１１に送信する（ステップＳ３）。なお、情報の送信方式としては無線通信を使用する。
【００２２】
（３）コンテンツ配信センタ１のサーバ１ａから電車１０内のコンテンツ配信装置１１に配信されたコンテンツ情報は、コンテンツ受信機能１１ａにより、コンテンツ配信装置１１内のデータベース２０に記録される（ステップＳ４）。
【００２３】
（４）電車１０が運行を開始すると、コンテンツ配信装置１１内の位置測定機能１１ｂは、位置情報発信装置８からの位置情報を受信し、電車１０の現在位置を測定する（ステップＳ５）。
【００２４】
（５）そして、コンテンツ選択機能１１ｃにより、電車１０が進行する現在位置に合わせて、例えば、通過する駅に対応するコンテンツをデータベース２０から抽出する（ステップＳ６）
【００２５】
（６）それから、コンテンツ配信機能１１ｄにより、抽出したコンテンツを電車１０内の乗客向けに配信する。この場合、配信するコンテンツの映像情報は、電車内の空きスペース（例えば、乗降扉の上部）に表示パネル１２を設けて表示する（ステップＳ７、Ｓ８）。また、音声情報をイヤホン４１付きの携帯受信機４０に向けて送信し、乗客はイヤホン４１でコンテンツの音声情報を聴く（ステップＳ９、Ｓ１０）。
【００２６】
以上、本発明の沿線情報案内システムの構成例とその動作について説明したが、本発明が適用できる交通機関としては電車１０に限らず、新幹線、バス、航空機、観光案内用のタクシーなど決められたルートを通過する交通機関に適用できる。
【００２７】
また、携帯受信機４０については、交通機関（本例では電鉄会社）側が予め用意し、乗客にレンタル（貸与）するか、販売する。なお、音声情報はスピーカを使用して社内に一斉に流すこともできるが、聞きたくない乗客の迷惑になることもあり、イヤホン４１付きの携帯受信機４０で聞くようにする。
【００２８】
また、携帯受信機４０には録音再生機能を付与することができ、コンテンツ配信装置１１から配信される音声情報は、コンテンツ情報のセンテンスごとにインデックスを付して録音するようにし、乗客が聞き逃した部分については、後で再生して確認できるようにすることができる。
【００２９】
また、携帯受信機４０としては、携帯電話やＰＤＡ（Ｐｅｒｓｏｎａｌ　Ｄｉｇｉｔａｌ　Ａｓｓｉｓｔａｎｔ）などの携帯端末を利用することも可能である。
【００３０】
また、携帯受信機４０には、映像情報を表示する機器（ＴＶ画像を表示できる機器）を利用することができる。この場合は、電車１０内の表示パネル１２を見る必要がなく、表示パネル１２が見にくい場合などに有効である。
また、前述の音声情報の代わりに、文字情報を携帯受信機４０に送り、表示させるようにすることもできる。
【００３１】
また、配信されるコンテンツの情報には、コンテンツに関連する情報を提供するＵＲＬ（Ｗｅｂサイトのアドレス）情報を含ませるようにし、携帯受信機４０でＵＲＬ情報を記録しておき、後で、Ｗｅｂサイトにアクセスして詳細な情報を取得できるようにすることもできる。また、携帯受信機４０がＷｅｂサイトにアクセスするための通信機能を備えている場合には、その場でＷｅｂサイトにアクセスするようにしても良い。
【００３２】
また、コンテンツ配信センタ１は、交通機関の経営会社（例えば、電鉄会社）などが運営するのが普通であるが、特にこれに限らない。また、乗客からは視聴料を徴収することはしないのが原則であるが、携帯受信機のレンタル料、または携帯受信機の購入費用が発生する場合もある。また、コンテンツ配信センタ１では沿線の企業からの依頼されたコマーシャルの配信料や、沿線の自治体から依頼された情報の配信料を収入源とすることができる。
【００３３】
［コンテンツ配信装置の構成例］
また、図３は、コンテンツ配信装置１１の構成例を示すブロック図である。図３において、１０はコンテンツを配信する電車、１１は電車１０内のコンテンツ配信装置、１２は乗客向けにコンテンツの映像情報を表示するための表示パネル、１３はコンテンツ配信装置１１の全体を統括制御するための制御部、１４はコンテンツ配信センタ１のサーバ２からコンテンツ情報を受信するための受信部、１５は位置情報発信装置（ＧＰＳ衛星や路線位置発信機）８からの位置情報を受信する位置情報受信部、１６は表示パネル１２に表示するコンテンツの映像情報を送信するための映像出力部、１７は携帯受信機４０にコンテンツの音声情報を送信するための音声送信部、２０は電車の通過に合わせて配信するコンテンツ情報を保持するためのデータベース（図４参照）、３０は処理プログラム部を示している。
また、処理プログラム部３０には、以下の処理部が含まれる。
・コンテンツ受信処理部３１は、コンテンツ配信センタ１から交通機関の沿線に関連するコンテンツの情報を受信してデータベース２０に保持するための処理部である。なお、コンテンツ情報には沿線情報の他に、企業の広告宣伝用のコンテンツなども含まれる。
・位置測定処理部３２は、位置情報発信装置８からの位置情報を受信し、電車１０自身の現在の位置を測定するための処理部である。
・コンテンツ選択処理部３３は、電車１０の進行と共に、電車１０の現在位置の情報を基に、データベース２０を検索し、電車１０の現在位置に対応するコンテンツを選択するための処理部である。
・コンテンツ配信処理部３４は、コンテンツ選択処理部３３により選択したコンテンツの情報を乗客に配信するための処理部である。
【００３４】
［データベースのデータ構成例］
また、図４はコンテンツ配信装置１１内のデータベース２０に記録されるデータの構成例を示す図である。
【００３５】
図４に示す例では、交通機関として電車の場合の例を示すものであり、データベース２０内のデータは、「位置（駅）」、「進行方向（上り／下り）」、「右扉／左扉」、「コンテンツ（音声、映像情報）」、「ＵＲＬ」、「ジャンル」のデータで構成される。
・「位置」は、例えば、電車１０の進行方向に向かって最も近い駅の情報である。
・「進行方向」は、電車１０の進行方向を示す情報である。
・「右扉／左扉」は、電車１０内の表示パネル１２は進行方向に向かって左右の両方の乗降扉の上に設けることができるが、右扉と左扉のガラス窓から見える風景が異なるために、扉の方向に応じたコンテンツを選択するための情報である。
・「コンテンツ（音声、映像情報）」は、実際に出力表示されるコンテンツ情報である。
・「ＵＲＬ」は、コンテンツに関連するＷｅｂサイトのアドレスの情報である。
・「ジャンル」は、コンテンツの種類を示す情報である。ＣＭは宣伝広告用のコンテンツであることを示し、沿線は、沿線に関連する情報であることを示している。
【００３６】
［携帯受信機の構成例その１］
また、図５は、携帯受信機の第１の構成例を示すブロック図であり、図５において、４２は携帯受信機４０の全体を統括制御するための制御部、４３はコンテンツ配信装置１１からコンテンツの情報を受信するための受信部、４４は携帯受信機の操作情報などを表示するために表示部、４５はイヤホン４１へ音声信号を出力するための音声出力部、４６は携帯受信機４０を操作するための入力部、５０はコンテンツの音声情報を記録するためのメモリ、６０は処理プログラムを示している。
【００３７】
また処理プログラム部６０には以下の処理部が含まれている。
・コンテンツ受信処理部６１は、コンテンツ配信装置１１から配信されるコンテンツの音声情報を受信するための処理部である。
・コンテンツ出力処理部６２は、コンテンツ受信処理部６１により受信したコンテンツの音声情報を音声出力部４５に出力するための処理部である。
・コンテンツ記録再生処理部６３は、電車１０内のコンテンツ配信装置１１から受信したコンテンツの音声情報を記録し、再生するための処理部である。
【００３８】
図５に示す携帯受信機４０では、コンテンツ配信装置１１から受信したコンテンツの音声情報を出力する他に、コンテンツの音声情報の記録再生機能を有しており、コンテンツの情報を聞き逃したりした場合に再生して確認することができる。また、受信したコンテンツに含まれる「ＵＲＬ」の情報を記録しておき、後で、記録した「ＵＲＬ」によりＷｅｂサイト（コンテンツに関連するサイト）にアクセスして、さらに詳細な情報を入手することができる。
【００３９】
［携帯受信機の構成例その２］
また、図６は携帯受信機の第２の構成例を示すブロック図であり、図５に示す携帯受信機４０に、新たに下車駅の登録機能と通知機能を設けた例であり、以下、新たに追加された部分についてのみ説明する。
図６において、４７は定期券４８などのカード（またはタグ）を読み取るためのカード読取部、４８は定期券などの乗車駅及び下車駅に関係する情報が記録されたカードを示している。
【００４０】
また、処理プログラム部６０には、以下の処理部が新たに追加される。
・下車駅登録処理部６４は、乗客が携帯受信機４０ａに下車駅を登録するための処理部であり、下車駅の登録方法には以下の少なくとも２通りの方法がある。
（ａ）乗客は、キーボードなどで入力部４６から、手入力で下車駅を登録する方法。この際、内蔵のメモリに予め記録された、もしくはコンテンツ配信装置１１から受信部４３を経て受信される駅名リストから選択して登録することも可能である。
（ｂ）定期券４８などのカードの内容をカード読取部４７で読み取り、携帯受信機４０ａ内で乗客の下車駅を判定して登録する方法。
・位置情報受信処理部６５は、電車１０の現在位置の情報を受信するための処理部であり、位置情報はコンテンツ配信装置１１から受信する。なお、携帯受信機４０ａ自身にＧＰＳ機能などを搭載し、携帯受信機４０ａ自身で位置情報を測定するようにすることもできる。
・下車駅判定処理部６６は、「登録した下車駅の情報」と「現在位置の情報」とを基に、下車駅に到達したことを判定して乗客に通知するための処理部である。
【００４１】
図６に示す携帯受信機４０ａに搭載された「下車駅の登録機能と通知機能」を利用することにより、乗客がコンテンツの視聴に熱中している場合でも、乗り越しを防ぐことができる。また、居眠りなどをしている場合の乗り越しも防ぐことができる。
【００４２】
［携帯受信機の構成例その３］
また、図７は携帯受信機受信の第３の構成例を示すブロック図であり、コンテンツ配信装置１１が複数のジャンルのコンテンツを同時に配信する場合に、携帯受信機４０ｂで所望のジャンルのコンテンツを選択して視聴することができるようにしたものである。
【００４３】
図７に例示する携帯受信機４０ｂは、図５に例示する携帯受信機４０に、新たにジャンル選択用の機能と、映像表示用の映像表示部４４ａを追加したものである。この場合、電車１０内の表示パネル１２には標準のコンテンツ（例えば、沿線の風景説明など）を放映し、他のジャンルの映像情報は携帯受信機４０ｂで個別に選択し、映像表示部４４ａで表示できるようにしたものである。
【００４４】
そのために、処理プログラム部６０には、ジャンル選択処理部６７が追加され、ジャンル選択処理部６７は、コンテンツ配信装置１１から同時に配信される複数のジャンルのコンテンツから、所望のジャンルのコンテンツを選択して受信するための処理部である。
【００４５】
図７に示す携帯受信機４０ｂに搭載されたジャンル選択機能を利用することにより、乗客は好みのコンテンツを選んで視聴することができる。例えば、旅行などの場合に、旅行者自身に役立つ情報を選択して見ることができ、旅の楽しみが増すことになる。
【００４６】
以上、本発明の実施の形態について説明したが、図３に示すコンテンツ配信装置１１内の処理プログラム部３０、図５、図６及び図７に示す携帯受信機内の処理プログラム部６０の機能を実現するためのプログラムをコンピュータ読み取り可能な記録媒体に記録して、この記録媒体に記録されたプログラムをコンピュータシステムに読み込ませ、実行することにより、図３に示す処理プログラム部３０、図５、図６及び図７に示す処理プログラム部６０に必要な処理を行ってもよい。なお、ここでいう「コンピュータシステム」とは、ＯＳや周辺機器等のハードウェアを含むものとする。
【００４７】
また、「コンピュータシステム」は、ＷＷＷシステムを利用している場合であれば、ホームページ提供環境（あるいは表示環境）を含むものとする。また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
【００４８】
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００４９】
以上、本発明の実施の形態について説明したが、本発明の沿線情報案内システム及び携帯受信機は、上述の図示例にのみ限定されるものではなく、本発明の要旨を逸脱しない範囲内において種々変更を加え得ることは勿論である。
【００５０】
【発明の効果】
以上説明したように、本発明の請求項１記載の沿線情報案内システムにおいては、交通機関の車両内に設備されたコンテンツ配信装置が、コンテンツ配信センタから交通機関の沿線に関連するコンテンツ情報を受信してデータベースに保持する。また、交通機関の車両内には車両自身の現在の位置を測定できる機能を設け、車両の進行に合わせて、車両の現在位置に対応するコンテンツをデータベースから選択して乗客向けに配信する。
これにより、交通機関の乗客は沿線で開催されるイベント情報を容易に取得することができる。また、沿線の風景の情報を入手でき、交通機関の利用がより快適になる。
【００５１】
また、本発明の請求項２記載の沿線情報案内システムにおいては、コンテンツ配信する際に、コンテンツの映像情報は、交通機関内の所定の場所に設けた表示パネルなどで表示し、コンテンツ情報の音声情報は、乗客が携帯する携帯受信機に向けて送信する。
これにより、コンテンツを視聴したい乗客は周囲の乗客に迷惑をかけることなく、コンテンツを楽しむことができる。
【００５２】
また、本発明の請求項３記載の沿線情報案内システムにおいては、配信されるコンテンツ情報には、宣伝広告用のコンテンツを含むようにする。
これにより、広告収入をコンテンツ配信センタの運営費に充当できる。また、広告を依頼する沿線の企業などでは、効果的な宣伝広告を行うことができる。
【００５３】
また、本発明の請求項４記載の沿線情報案内システムにおいては、配信するコンテンツ情報には、提供するコンテンツに関連するＷｅｂサイトのＵＲＬ情報を含めるようにする。
これにより、乗客は視聴したコンテンツについて、該情報を提供するＷｅｂサイトにアクセスし、より詳しい情報を容易に入手できるようになる。
【００５４】
また、本発明の請求項５記載の携帯受信機においては、携帯受信機に、コンテンツの音声情報を受信して出力する機能の他に、受信したコンテンツの音声情報を記録して再生する機能を設ける。
これにより、乗客は聞き逃した情報について、再生して確認することができる。
【００５５】
また、本発明の請求項６記載の携帯受信機においては、携帯受信機に、コンテンツの映像及び音声情報を受信して出力する機能と、受信したコンテンツの映像及び音声情報を記録して再生する機能を設ける。
これにより、交通機関内のコンテンツ映像表示用のパネルなど見る必要がなく、表示パネルが見にくい場合などに有効となる。また、乗客は見逃したコンテンツについて、再生して確認することができる。
【００５６】
また、本発明の請求項７記載の携帯受信機は、携帯受信機に、下車駅を登録する機能と、現在位置の情報を受信する機能と、下車駅と現在位置の情報を基に、下車駅に到達したことを判定して乗客に通知するための機能を設ける。
これにより、乗客はコンテンツの視聴に熱中している場合でも、乗り越しを防ぐことができる。また、居眠りなどをしている場合の乗り越しも防ぐことができる。
【００５７】
また、本発明の請求項８記載の携帯受信機においては、携帯受信機に、コンテンツ配信装置から同時に配信される複数のジャンルのコンテンツから、所望のジャンルのコンテンツを選択して受信する機能を設ける。
これにより、乗客は好みのコンテンツを選んで視聴することができる。例えば、旅行などの場合に、自分に役立つ情報を選択して見ることができ、旅の楽しみが増すことになる。
【００５８】
また、請求項９に記載の携帯受信機においては、携帯受信機として、携帯電話やＰＤＡを利用できるようにする。
これにより、普及率の高い携帯電話などを有効に活用することができる。
【００５９】
また、本発明の請求項１０に記載の沿線情報案内方法においては、交通機関の車両内に設備されたコンテンツ配信装置が、コンテンツ配信センタから交通機関の沿線に関連するコンテンツ情報を受信してデータベースに保持する。また、交通機関の車両内には車両自身の現在の位置を測定できる機能を設け、車両の進行に合わせて、車両の現在位置に対応するコンテンツをデータベースから選択して乗客向けに配信する。
これにより、交通機関の乗客は沿線で開催されるイベント情報を容易に取得することができる。また、沿線の風景の情報を入手でき、交通機関の利用がより快適になる。
【図面の簡単な説明】
【図１】本発明による沿線情報案内システムの構成例を示す図である。
【図２】図１に例示する沿線情報案内システムの動作の流れを説明するための図である。
【図３】コンテンツ配信装置の構成例を示すブロック図である。
【図４】コンテンツ配信装置内のデータベースのデータ構成例を示す図である。
【図５】携帯受信機の第１の構成例を示すブロック図である。
【図６】携帯受信機の第２の構成例を示すブロック図である。
【図７】携帯受信機の第３の構成例を示すブロック図である。
【符号の説明】
１　コンテンツ配信センタ
２　コンテンツ配信センタのサーバ
２ａ　データベース
３　Ｗｅｂサーバ
４　送受信装置
５　通信ネットワーク
６　コンテンツ配信依頼者
７　Ｗｅｂサイト
８　位置情報発信装置
１０　電車
１１　コンテンツ配信装置
１１ａ　コンテンツ受信機能
１１ｂ　位置測定機能
１１ｃ　コンテンツ選択機能
１１ｄ　コンテンツ配信機能
１２　表示パネル
１３　制御部
１４　受信部
１５　位置情報受信部
１６　映像出力部
１７　音声送信部
２０　データベース
３０　処理プログラム部
３１　コンテンツ受信処理部
３２　位置測定処理部
３３　コンテンツ選択処理部
３４　コンテンツ配信処理部
４０、４０ａ、４０ｂ　携帯受信機
４１　イヤホン
４２　制御部
４３　受信部
４４　表示部
４４ａ　映像表示部
４５　音声出力部
４６　入力部
４７　カード読取部
４８　定期券
５０　メモリ
６０　処理プログラム部
６１　コンテンツ受信処理部
６２　コンテンツ出力処理部
６３　コンテンツ記録再生処理部
６４　下車駅登録処理部
６５　位置情報受信処理部
６６　下車駅判定処理部
６７　ジャンル選択処理部
【図１】
2004032160.tif 000003
【図２】
2004032160.tif 000004
【図３】
2004032160.tif 000005
【図４】
2004032160.tif 000006
【図５】
2004032160.tif 000007
【図６】
2004032160.tif 000008
【図７】
2004032160.tif 000009